(57)【要約】【課題】従来よりも簡易かつ廉価に製造することができ、しかも逆流防止性能なども優れたものとすることが可能なパイロット式開閉弁を提供する。【解決手段】パイロット式開閉弁Ｖ１のブリード用弁体６は、可撓性を有するプレート状またはシート状の部材を用いて構成されて、ダイヤフラム弁体Ｄの背面側に取り付けられており、ブリード用弁体６の一部分は、ブリード孔５２の背圧室側開口部５２ａに対向し、かつ１次側流水路１１およびブリード孔５２内の圧力に応じて背圧室側開口部５２ａの周囲に接触または離反することにより背圧室側開口部５２ａを開閉する構成とされている。【選択図】  図１
2015007452.tif 000002
【特許請求の範囲】
【請求項１】
１次側流水路と２次側流水路とを連通させる弁開口部を開閉可能なように、前記弁開口部の周縁の弁座に対向して往復動可能なダイヤフラム弁体と、
このダイヤフラム弁体の背面側に形成された背圧室を前記１次側流水路に連通させるように前記ダイヤフラム弁体に設けられたブリード孔と、
前記１次側流水路が正圧の際には前記ブリード孔を開状態とし、かつ前記１次側流水路が負圧の際には前記ブリード孔を閉状態とするブリード用弁体と、
を備えている、パイロット式開閉弁であって、
前記ブリード用弁体は、可撓性を有するプレート状またはシート状の部材を用いて構成され、かつ前記ダイヤフラム弁体の背面側に取り付けられており、
前記ブリード用弁体の一部分は、前記ブリード孔の背圧室側開口部に対向し、かつ前記１次側流水路および前記ブリード孔内の圧力に応じて前記背圧室側開口部の周囲に接触または離反することにより前記背圧室側開口部を開閉するように構成されていることを特徴とする、パイロット式開閉弁。
【請求項２】
請求項１に記載のパイロット式開閉弁であって、
前記ブリード用弁体には、前記背圧室側開口部の閉状態時において前記背圧室側開口部の周囲に当接する環状突起部が設けられた構成とされ、または前記ダイヤフラム弁体の前記背圧室側開口部の周囲には、前記背圧室側開口部の閉状態時において前記ブリード用弁体に接触する環状突起部が設けられた構成とされている、パイロット式開閉弁。
【請求項３】
請求項１または２に記載のパイロット式開閉弁であって、
前記ダイヤフラム弁体を構成するダイヤフラムプレートには、このダイヤフラムプレートの背面側に向けて突出する凸状部が設けられ、かつ前記ブリード用弁体には、貫通孔が形成されており、
前記ダイヤフラム弁体に対する前記ブリード用弁体の取り付けは、前記凸状部が前記貫通孔に抜け止めが図られた状態で挿入していることにより行なわれている、パイロット式開閉弁。
【請求項４】
請求項３に記載のパイロット式開閉弁であって、
前記ダイヤフラムプレートは、このダイヤフラムプレートの外周縁部からその背面側に向けて突出するフランジ部と、前記ダイヤフラムプレートの後面部に突設されて前記ダイヤフラムプレートの半径方向に延びる1または複数条のリブとを有しており、
前記ブリード用弁体は、このブリード用弁体の外周縁部が前記フランジ部および前記リブの少なくとも一方に接触または接近した配置に設けられていることにより、前記凸状部を中心に回転することが規制されている、パイロット式開閉弁。
【請求項５】
請求項１ないし４のいずれかに記載のパイロット式開閉弁であって、
前記ダイヤフラム弁体は、前記弁座よりも大径とされ、前記弁開口部を閉状態とした際には、前記ダイヤフラム弁体の外周縁寄り領域が前記弁座の周囲にはみ出して前記１次側流水路に対面するように形成されており、
前記ブリード孔は、一端が前記１次側流水路に向けて開口するようにして前記ダイヤフラム弁体の外周縁寄り領域に設けられた非貫通孔状の第１の孔部と、前記背圧室側開口部を形成する非貫通孔状の第２の孔部とが組み合わされた構成とされ、これら第１および第２の孔部は、前記第２の孔部が前記第１の孔部よりも前記ダイヤフラム弁体の中心寄りに位置するようにして互いに繋がっている、パイロット式開閉弁。
【請求項６】
１次側流水路から２次側流水路への通水動作のオン・オフ切り替えを行なうためのパイロット式開閉弁と、
前記２次側流水路側に直列に設けられた第１および第２の逆止弁と、
これら第１および第２の逆止弁の相互間に位置する流水路に接続され、かつこの流水路に逆流水が生じた際にこの逆流水を外部に排出することが可能な逃がし弁と、
を備えている、逆流防止装置であって、
前記パイロット式開閉弁として、請求項１ないし５のいずれかに記載のパイロット式開閉弁が用いられていることを特徴とする、逆流防止装置。
【発明の詳細な説明】
【技術分野】
【０００１】
本発明は、たとえば給湯装置から風呂追い焚き回路への注湯動作のオン・オフ切り替え用途など、逆流水の防止が要請される配管部に取り付けて用いるのに好適なパイロット式開閉弁、およびこれを備えた逆流防止装置に関する。
【背景技術】
【０００２】
本出願人は、パイロット式開閉弁の一例として、特許文献1（図３〜図５）に記載のものを先に提案している。
同文献に記載のパイロット式開閉弁は、１次側流水路と２次側流水路との連通部である弁開口部を開閉するためのダイヤフラム弁体を備えている。このダイヤフラム弁体には、ダイヤフラム弁体の背面側に形成された背圧室と１次側流水路とを連通させるためのブリード孔が設けられており、このブリード孔には、ブリード孔内の圧力に応じてブリード孔を開閉するためのブリード用弁体としてのボールが収容されている。このボールの脱出を防止するためのピン状のストッパも別途設けられている。
このような構成によれば、１次側流水路が正圧である際には、ボールがブリード孔を開状態とし、１次側流水路の水がブリード孔を通過して背圧室に流れ込む。したがって、ダイヤフラム弁体の弁閉状態時には、背圧室の圧力を高くし、この圧力を利用して弁閉状態を維持することができる。一方、１次側流水路側に断水を生じるなどして、１次側流水路が負圧になった際には、ブリード孔が閉状態となる。このため、背圧室が負圧になることが防止される。また、１次側流水路の負圧をダイヤフラム弁体が所定の弁座に圧接する力として利用することも可能となる。このため、２次側流水路の逆流水をパイロット式開閉弁の位置において遮断し、１次側流水路に逆流水が生じることが防止される。
【０００３】
しかしながら、前記従来技術においては、次に述べるように、未だ改善すべき余地があった。
【０００４】
すなわち、ブリード孔を開閉させるブリード用弁体は、ブリード孔内に収容されたボールを用いて構成されており、このボールの移動を規制するためのストッパなどを別途設ける必要もある。したがって、全体の部品点数が多く、またそれらの組み付け作業も煩雑となる。さらに、ブリード孔の内部には、ボールを当接させるための弁座を高い寸法精度で形成する必要もある。このようなことから、従来においては、全体の製造コストが高価となる不具合があった。
【０００５】
１次側流水路に負圧が発生し、２次側流水路に逆流が生じた場合には、この逆流水がパイロット式開閉弁を通過して１次側流水路に流れてくることを防止する必要がある。このような逆流水防止性能を高めるには、１次側流水路が負圧となってブリード用弁体がブリード孔を閉状態とする際に、優れた止水シール性能が得られるようにする必要がある。ところが、従来のボールを用いた方式では、優れた止水シール性能を簡易に得ることは難しい。
パイロット式開閉弁を、たとえば給湯装置から浴槽に接続された風呂追い焚き回路への給湯のオン・オフ用途などに用いる場合、現在の業界自主基準では、パイロット式開閉弁の２次側流水路側に設けられた２つの逆止弁に、φ０．３ｍｍ相当の異物の噛み込みが生じ、逆流が生じたとしても、この逆流水を別途設けた逃がし弁を利用して外部に排出させることができればよいとされている。ただし、実際には、前記した条件よりも過酷な条件での逆流水、すなわちφ０．３ｍｍよりも大きな異物の噛み込みが生じた条件下において多くの逆流水が発生する可能性がある。このような逆流水については、逃がし弁のみでは対応できず、パイロット式開閉弁の位置まで逆流水が到達する虞がある。このような事態
を生じた場合であっても、逆流水がパイロット式開閉弁の上流側には流れないようにすることが好ましい。このためには、パイロット式開閉弁の簡素化や低コスト化を図るだけではなく、逆流防止性能を従来にも増して優れたものにすることが望まれる。
【先行技術文献】
【特許文献】
【０００６】
【特許文献１】特許第３８３５２８１号公報
【発明の概要】
【発明が解決しようとする課題】
【０００７】
本発明は、前記したような事情のもとで考え出されたものであり、従来よりも簡易かつ廉価に製造することができ、しかも逆流防止性能なども優れたものとすることが可能なパイロット式開閉弁、およびこれを備えた逆流防止装置を提供することを、その課題としている。
【課題を解決するための手段】
【０００８】
上記の課題を解決するため、本発明では、次の技術的手段を講じている。
【０００９】
本発明の第１の側面により提供されるパイロット式開閉弁は、１次側流水路と２次側流水路とを連通させる弁開口部を開閉可能なように、前記弁開口部の周縁の弁座に対向して往復動可能なダイヤフラム弁体と、このダイヤフラム弁体の背面側に形成された背圧室を前記１次側流水路に連通させるように前記ダイヤフラム弁体に設けられたブリード孔と、前記１次側流水路が正圧の際には前記ブリード孔を開状態とし、かつ前記１次側流水路が負圧の際には前記ブリード孔を閉状態とするブリード用弁体と、を備えている、パイロット式開閉弁であって、  前記ブリード用弁体は、可撓性を有するプレート状またはシート状の部材を用いて構成され、かつ前記ダイヤフラム弁体の背面側に取り付けられており、前記ブリード用弁体の一部分は、前記ブリード孔の背圧室側開口部に対向し、かつ前記１次側流水路および前記ブリード孔内の圧力に応じて前記背圧室側開口部の周囲に接触または離反することにより前記背圧室側開口部を開閉するように構成されていることを特徴としている。
【００１０】
このような構成によれば、次のような効果が得られる。
第１に、ブリード用弁体は、可撓性を有するプレート状またはシート状の部材を用いて構成されており、その一部分がブリード孔の背圧室側開口部に対向するようにダイヤフラム弁体に取り付けられた構造である。したがって、前記従来技術と比較して、その構造はかなり簡素であり、製造コストの大幅な低減化を図ることができる。
第２に、ブリード用弁体は、その一部分が１次側流水路およびブリード孔内の圧力に応じてブリード孔の背圧室側開口部の周囲に接触または離反することにより、ブリード孔を開閉する構造であるために、その開閉動作は安定したものとなる。また、１次側流水路およびブリード孔に負圧が発生した際のブリード用弁体と背圧室側開口部の周囲との接触による止水シール性もよくすることが可能である。この止水シール性能は、ブリード孔やブリード用弁体の各部の寸法精度には殆ど左右されず、これらの寸法に多少の寸法誤差があったとしても、優れたシール性能を得ることが可能である。したがって、たとえば１次側流水路側が負圧となり、２次側流水路側に逆流水が生じる状況になったとしても、背圧室が負圧になるようなことは適切に防止され、前記逆流水を本発明のパイロット式開閉弁の位置で適切に遮断し得る優れた逆流防止性能を得ることができる。
【００１１】
本発明において、好ましくは、前記ブリード用弁体には、前記背圧室側開口部の閉状態時において前記背圧室側開口部の周囲に当接する環状突起部が設けられた構成とされ、または前記ダイヤフラム弁体の前記背圧室側開口部の周囲には、前記背圧室側開口部の閉状
態時において前記ブリード用弁体に接触する環状突起部が設けられた構成とされている。
【００１２】
このような構成によれば、ブリード用弁体をブリード孔の背圧室側開口部の周囲に当接させた際の止水シール性を良好とする上で、より好ましいものとなる。
【００１３】
本発明において、好ましくは、前記ダイヤフラム弁体を構成するダイヤフラムプレートには、このダイヤフラムプレートの背面側に向けて突出する凸状部が設けられ、かつ前記ブリード用弁体には、貫通孔が形成されており、前記ダイヤフラム弁体に対する前記ブリード用弁体の取り付けは、前記凸状部が前記貫通孔に抜け止めが図られた状態で挿入していることにより行なわれている。
【００１４】
このような構成によれば、ダイヤフラム弁体へのブリード用弁体の取り付け構造を、より簡素にすることができる。
【００１５】
本発明において、好ましくは、前記ダイヤフラムプレートは、このダイヤフラムプレートの外周縁部からその背面側に向けて突出するフランジ部と、前記ダイヤフラムプレートの後面部に突設されて前記ダイヤフラムプレートの半径方向に延びる1または複数条のリブとを有しており、前記ブリード用弁体は、このブリード用弁体の外周縁部が前記フランジ部および前記リブの少なくとも一方に接触または接近した配置に設けられていることにより、前記凸状部を中心に回転することが規制されている。
【００１６】
このような構成によれば、ブリード用弁体がブリード孔の背圧室側開口部を適切に開閉できない箇所に位置ずれするといったことが適切に防止される。ダイヤフラムプレートに形成されたフランジ部およびリブは、ダイヤフラムプレートの強度向上などに役立つ部位であるが、このような部位を利用してブリード用弁体の回転止めが図られているために、その構成は合理的であり、構造の複雑化や部品点数の増加を適切に回避することができる。
【００１７】
本発明において、好ましくは、前記ダイヤフラム弁体は、前記弁座よりも大径とされ、前記弁開口部を閉状態とした際には、前記ダイヤフラム弁体の外周縁寄り領域が前記弁座の周囲にはみ出して前記１次側流水路に対面するように形成されており、前記ブリード孔は、一端が前記１次側流水路に向けて開口するようにして前記ダイヤフラム弁体の外周縁寄り領域に設けられた非貫通孔状の第１の孔部と、前記背圧室側開口部を形成する非貫通孔状の第２の孔部とが組み合わされた構成とされ、これら第１および第２の孔部は、前記第２の孔部が前記第１の孔部よりも前記ダイヤフラム弁体の中心寄りに位置するようにして互いに繋がっている。
【００１８】
このような構成によれば、ブリード孔の背圧室側開口部を、ブリード孔の１次側流水路側に開口する開口部よりもダイヤフラム弁体の中心寄りに配置させることができる。たとえば、ブリード孔の背圧室側開口部が、ダイヤフラム弁体の外周縁先端にかなり接近した位置に設けられているような場合には、背圧室側開口部の周囲にブリード用弁体を対向配置させるためのスペースを十分に確保することが困難となる虞があるが、前記構成によれば、そのような虞を適切に回避することが可能となる。
【００１９】
本発明の第２の側面により提供される逆流防止装置は、１次側流水路から２次側流水路への通水動作のオン・オフ切り替えを行なうためのパイロット式開閉弁と、前記２次側流水路側に直列に設けられた第１および第２の逆止弁と、これら第１および第２の逆止弁の相互間に位置する流水路に接続され、かつこの流水路に逆流水が生じた際にこの逆流水を外部に排出することが可能な逃がし弁と、を備えている、逆流防止装置であって、前記パイロット式開閉弁として、本発明の第１の側面により提供されるパイロット式開閉弁が用
いられていることを特徴としている。
【００２０】
このような構成によれば、本発明の第１の側面により提供されるパイロット式開閉弁について述べたのと同様な作用が得られる。１次側流水路に負圧が発生した際に、２次側流水路から１次側流水路に逆流水が生じることを適切に防止する上で、好ましいものとなる。
【００２１】
本発明のその他の特徴および利点は、添付図面を参照して以下に行なう発明の実施の形態の説明から、より明らかになるであろう。
【図面の簡単な説明】
【００２２】
【図１】（ａ）は、本発明に係る逆流防止装置の一例を示す断面図であり、（ｂ）は、（ａ）に示す逆流防止装置を構成するパイロット式開閉弁の要部拡大断面図である。
【図２】図１（ｂ）に示すパイロット式開閉弁のダイヤフラムプレートを示す断面図である。
【図３】（ａ）は、図２に示すダイヤフラムプレートおよびブリード用弁体の斜視図であり、（ｂ）は、その分解斜視図である。
【図４】図３に示すブリード用弁体の異なる角度からの斜視図である。
【図５】図２および図３（ａ）の正面図である。
【図６】（ａ），（ｂ）は、本発明の他の例を示す要部断面図である。
【図７】（ａ），（ｂ）は、本発明の他の例を示す要部断面図である。
【発明を実施するための形態】
【００２３】
以下、本発明の好ましい実施の形態について、図面を参照して具体的に説明する。
【００２４】
図１（ａ）に示す逆流防止装置Ａは、ケーシング１ａ〜１ｃ内に形成された１次側流水路１１、２次側流水路１２、パイロット式開閉弁Ｖ１、第１および第２の逆止弁２Ａ，２Ｂ、ならびに逃がし弁３を備えている。
【００２５】
この逆流防止装置Ａは、たとえば給湯装置から風呂追い焚き回路への湯水供給経路途中に設けられて使用される。このような使用態様においては、１次側流水路１１は給湯装置側に配管接続され、２次側流水路１２は、風呂追い焚き回路側に配管接続される。風呂追い焚き回路は、浴槽の湯水をポンプによって汲み上げてから追い焚き用の熱交換器によって加熱した後に浴槽に戻す回路である。したがって、このような風呂追い焚き回路から給湯装置側（上水道側）に逆流を生じることは適切に防止する必要がある。
【００２６】
パイロット式開閉弁Ｖ１は、１次側流水路１１と２次側流水路１２との連通部分である弁開口部１３をダイヤフラム弁体Ｄによって開閉し、１次側流水路１１から２次側流水路１２への通水のオン・オフを切り替えるためのものである。第１および第２の逆止弁２Ａ，２Ｂは、２次側流水路１２に直列に設けられており、２次側流水路１２における下流側への通水を許容しつつ、上流側への逆流を阻止するものである。逃がし弁３は、第２の逆止弁２Ｂに異物の噛み込みを生じるなどして、第１および第２の逆止弁２Ａ，２Ｂ間の通水路１９に逆流水が進行してきた場合に、この通水路１９に空気を送り込みつつ、逆流水を外部に排出させるためのものである。この逃がし弁３は、バネ３１によって弁開方向に付勢されたダイヤフラム３０を有し、このダイヤフラム３０の背面側の圧力室３２には、１次側流水路１１からの１次圧Ｐ１が供給されている。１次圧Ｐ１が低下すると、バネ３１の力によってダイヤフラム３０が開弁状態に後退し、弁開口部３３が開放する。このことにより、逆流水が排水路３４を介して外部に排出される。
【００２７】
パイロット式開閉弁Ｖ１は、ダイヤフラム弁体Ｄと、ブリード用弁体６と、電磁ソレノ
イド７０を駆動源とするプランジャ７とを備えている。
【００２８】
ダイヤフラム弁体Ｄは、弁開口部１３の周縁に位置する弁座１４に対向して往復動可能であり、可撓性を有するダイヤフラム４に、比較的硬質の樹脂製のダイヤフラムプレート５を組み付けて構成されている。ダイヤフラムプレート５は、ダイヤフラム４のうち、弁座１４に対向する部分およびその周囲の一定領域が不当に撓みなどを生じないようにバックアップする役割を果たすものであり、弁座１４よりも大径である。ダイヤフラム弁体Ｄのうち、弁座１４の周囲にはみ出して１次側流水路１１に対面する部分は、１次圧Ｐ１を受ける。ダイヤフラム４に対するダイヤフラムプレート５の組み付けは、たとえばダイヤフラムプレート５の前面部に突設された複数の突起部５０ａ〜５０ｃをダイヤフラム４に抜け止め状態に貫通させることにより図られている。
【００２９】
ダイヤフラム弁体Ｄの背面側（図１の右側）には、背圧室１５が形成されている。ダイヤフラム弁体Ｄには、背圧室１５を２次側流水路１２と連通させるためのパイロット孔５１、および背圧室１５を１次側流水路１１と連通させるためのブリード孔５２が設けられている。ブリード孔５２およびブリード用弁体６の詳細については後述するが、１次圧Ｐ１が正圧の場合には、ブリード用弁体６が開き、背圧室１５はブリード孔５２を介して１次側流水路１１と連通するために１次圧Ｐ１と同圧となる。これに対し、１次圧Ｐ１が負圧の場合には、ブリード用弁体６がブリード孔５２を閉状態とし、背圧室１５が負圧になることは防止される。
【００３０】
プランジャ７は、ダイヤフラムプレート５の背面側において往復動自在であり、図１に示すように、その前進時には、パイロット孔５１の一端側開口部を閉塞しつつ、ダイヤフラム弁体Ｄを弁座１４側に押圧することが可能である。図示説明は省略するが、プランジャ７を後退させた際には、パイロット孔５１が開状態となって背圧室１５と２次側流水路１２とが連通するため、ダイヤフラム弁体Ｄを後退させて弁開口部１３を開状態とすることが可能である。
【００３１】
ブリード用弁体６は、可撓性を有するプレート状またはシート状の部材を用いて構成されており、好ましくは弾性を有するゴム製または樹脂製である。図２および図３によく表われているように、ダイヤフラムプレート５の後面部には、その背面側に向けて突出する凸状部５３が設けられている。この凸状部５３は、その基部の外周面に凹状部を設けるなどして、先端部よりも基部側の方が小幅または小径の形状とされている。これに対し、ブリード用弁体６には、貫通孔６１が形成されており、この貫通孔６１に凸状部５３が挿入していることにより、ダイヤフラムプレート５に対するブリード用弁体６の取り付けが図られている。貫通孔６１は、凸状部５３の小幅または小径状の基部に嵌合していることにより、ブリード用弁体６の凸状部５３からの抜け止めが図られている。
【００３２】
ブリード用弁体６は、その一部分がブリード孔５２の背圧室側開口部５２ａ（ブリード孔５２のうち、背圧室１５側に開口する開口部）に対向し、背圧室側開口部５２ａを閉塞可能に設定されている。ただし、ブリード用弁体６は、ブリード孔５２側から正圧を受けた際には、撓み変形を生じ、背圧室側開口部５２ａを開状態とする。図４に示すように、ブリード用弁体６には、環状突起部６２が設けられており、ブリード用弁体６が背圧室側開口部５２ａを閉状態とする際には、環状突起部６２が背圧室側開口部５２ａの周囲に当接するようになっている。
【００３３】
ダイヤフラムプレート５には、このダイヤフラムプレート５の外周縁部からその背面側に向けて突出するフランジ部５５や、このダイヤフラムプレート５の半径方向に延びるとともに背面側に向けて突出する複数条のリブ５６が一体形成されている。これらフランジ部５５やリブ５６は、ダイヤフラムプレート５の強度を高める役割を果たす。これに対し
、ブリード用弁体６は、図５に示すように、その一側縁部６３ａがフランジ部５５の内周面に接触または接近するとともに、他の２つの側縁部６３ｃ，６３ｄが２条のリブ５６の側面に接触または接近した状態とされている。このことにより、ブリード用弁体６が凸状部５３を中心として回転することが防止されている。ブリード用弁体６は、一定幅の円弧状ではなく、切欠き部６４が形成されていることによって、この切欠き部６４が形成された部分、およびこの部分よりも先端側（環状突起部６２が設けられている側）が基端側よりも小幅状とされている。このような構成によれば、切欠き部６４よりも先端側が厚み方向に変形し易くなり、弁開閉性を良好にする上でより好適となる。
【００３４】
図２に示すように、ブリード孔５２は、第１および第２の孔部５２Ａ，５２Ｂが組み合わされて構成されている。第１の孔部５２Ａは、ダイヤフラムプレート５の前面側（１次側流水路１１側）に一端が開口するように設けられた非貫通孔であり、突起部５０ｂの内側に形成されている。第２の孔部５２Ｂは、ダイヤフラムプレート５の後面側に背圧室側開口部５２ａを形成するように設けられた非貫通孔である。これら第１および第２の孔部５２Ａ，５２Ｂは、第２の孔部５２Ｂが第１の孔部５２Ａよりも適当な寸法Ｌ１だけダイヤフラムプレート５の中心寄りに位置するようにして互いに繋がっている。このような構成によれば、背圧室側開口部５２ａをフランジ部５５から遠ざけた配置とすることが可能であるために、背圧室側開口部５２ａの周囲に、環状突起部６２を当接させるためのスペースを適切に確保することができる。背圧室側開口部５２ａがダイヤフラムプレート５の外周縁寄りに過度に配置された場合には、ブリード用弁体６の先端部がフランジ部５５に不当に干渉する虞があるが、前記構成によれば、このような不具合を適切に解消することが可能である。
【００３５】
次に、前記したパイロット式開閉弁Ｖ１を備えた逆流防止装置Ａの作用について説明する。
【００３６】
まず、ブリード用弁体６は、可撓性を有するプレート状またはシート状であり、その一部分はブリード孔５２の背圧室側開口部５２ａに対向している。このため、ブリード用弁体６は、１次側流水路１１およびブリード孔５２内の圧力に対応して変形し、前記圧力が正圧の場合には背圧室側開口部５２ａを開放状態し、かつ負圧の場合には背圧室側開口部５２ａを閉塞する。したがって、パイロット式開閉弁Ｖ１の閉状態時において、１次側流水路１１が正圧である場合には、ブリード孔５２が開状態となって背圧室１５も正圧となり、この圧力を利用してダイヤフラム弁体Ｄを弁座１４に圧接させる作用を得ることができる。一方、１次側流水路１１の上流側に断水を生じるなどして、１次側流水路１１が負圧となった場合には、背圧室側開口部５２ａが閉塞されるために、背圧室１５が負圧になることは阻止される。また、１次側流水路１１の負圧は、ダイヤフラム弁体Ｄのうち、弁座１４からはみ出した部分に作用し、ダイヤフラム弁体Ｄを弁座１４に圧接させる力として作用する。このため、仮に、第１および第２の逆止弁２Ａ，２Ｂに異物の噛み込みなどの異常を生じた状態において、２次側流水路１２に逆流が生じ、この逆流水の全量を逃がし弁３によって外部に排出することが困難な状況になったとしても、パイロット式開閉弁Ｖ１の弁閉状態を適切に維持させ、前記逆流水をパイロット式開閉弁Ｖ１によって適切に遮断することができる。
【００３７】
ブリード用弁体６が、ブリード孔５２の背圧室側開口部５２ａを閉塞する際には、環状突起部６２が背圧室側開口部５２ａの周囲に密接する。したがって、ブリード用弁体６によって背圧室側開口部５２ａを閉塞する際の止水シール性はより良好なものとなる。ブリード用弁体６が弾性部材を用いて構成されていれば、その弾性復元力を利用してブリード用弁体６を背圧室側開口部５２ａの周囲に圧接させることもできるために、止水シール性を良好とする上で、より好ましいものとなる。加えて、ブリード用弁体６には、切欠き部６４を形成して撓み変形を生じ易くしていることによっても、止水シール性がさらに良好
となる。ブリード用弁体６は、既述したように、その外周縁部６３ａ〜６３ｃがフランジ部５５およびリブ５６に接近または接触していることにより、凸状部５３を中心に回転することが規制されているために、ブリード用弁体６が不当に位置ずれしてブリード孔５２の開閉動作が不能な状況に陥るようなことも防止される。
【００３８】
ブリード用弁体６は、プレート状またはシート状の部材を用いて構成されており、その製造コストをかなり廉価にすることが可能である。また、ダイヤフラム弁体Ｄに対するブリード用弁体６の取り付けは、ダイヤフラムプレート５に設けられた凸状部５３にブリード用弁体６の貫通孔６１を嵌合させることにより行なわれているために、やはりその構造は簡易であり、ブリード用弁体６の組み付け作業も容易である。したがって、本実施形態によれば、優れた逆流防止性能が得られるだけではなく、パイロット式開閉弁Ｖ１の製造コストを廉価にする上でも好ましいものとなる。
【００３９】
図６および図７は、本発明の他の実施形態を示している。これらの図において、前記実施形態と同一または類似の要素には、前記実施形態と同一の符号を付している。
【００４０】
図６（ａ）に示す実施形態においては、ダイヤフラムプレート５の後面部のうち、背圧室側開口部５２ａの周囲に環状突起部６２Ａが設けられている。ブリード用弁体６には、前記した環状突起部６２が設けられていない。本実施形態においては、背圧室側開口部５２ａを閉状態とする際には、環状突起部６２Ａの全周囲の先端部に対してブリード用弁体６を密接させることができ、前記実施形態と同様に、優れた止水シール性能を得ることが可能である。本実施形態から理解されるように、背圧室側開口部５２ａに対する止水シール性能を高めるための環状突起部を設ける場合には、この環状突起部は、ブリード用弁体およびダイヤフラムプレートのいずれに設けてもよい。
【００４１】
図６（ｂ）に示す実施形態においては、ダイヤフラムプレート５の背圧室側開口部５２ａの周辺部が、適当な傾斜角度θのテーパ面５９として形成されている。このテーパ面５９は、凸状部５３から遠い部分ほど後方側に位置するように傾斜している。本実施形態によれば、背圧室側開口部５２ａの周囲のうち、凸状部５３から遠い部分に対してもブリード用弁体６を密接させ易くする効果が得られる。
【００４２】
図７（ａ）に示す実施形態においては、凸状部５３にプッシュナット９８を外嵌止着させており、このプッシュナット９８によってブリード用弁体６の一部をダイヤフラムプレート５に固定させている。このような構成によれば、凸状部５３にブリード用弁体６を係止させるための凹状部を形成する必要はなく、やはり簡易な作業によってブリード用弁体６を凸状部５３から抜け外れないように適切に組み付けることができる。
【００４３】
図７（ｂ）に示す実施形態においては、凸状部５３にブリード用弁体６の貫通孔６１を嵌合させた後に、たとえば超音波加熱などの手法を用いて凸状部５３の先端部を溶融軟化させることにより、この部分を大径部５３ａとして形成している。このような構成によっても、ブリード用弁体６を凸状部５３から抜け外れないように組み付けることができる。
【００４４】
本発明は、上述した実施形態の内容に限定されない。本発明に係るパイロット式開閉弁、およびこれを備えた逆流防止装置の各部の具体的な構成は、本発明の意図する範囲内において種々に設計変更自在である。
【００４５】
本発明において、ブリード用弁体は、可撓性を有するプレート状またはシート状の部材を用いて構成されていればよく、このプレート状またはシート状の部材に対し、さらに別部材が付加された構成とされていてもよい。ダイヤフラム弁体にブリード用弁体を取り付けるための手段としては、ブリード用弁体に設けられた貫通孔とダイヤフラムプレートに
設けられた凸状部とを嵌合させる手段とは異なる手段を採用することが可能である。たとえば、ブリード用弁体の一部をダイヤフラムプレートの後面部に接着（溶着などを含む）させたり、あるいはビス止めするといった手段を採用することもできる。なお、図２を参照して説明すると、ダイヤフラムプレート５のうち、パイロット孔５１が形成され、かつダイヤフラムプレート５の後面部からその背面側に向けて突出する凸状部５３Ａに、ブリード用弁体に設けられた貫通孔を嵌合させることによって、ブリード用弁体の取り付けを図るようにしてもよい。
【００４６】
本発明に係るパイロット式開閉弁は、給湯装置と風呂追い焚き回路とを接続する配管部に設けて、いわゆる注湯弁として用いるのに好適であるが、使用用途はこれに限定されるものではない。同様に、本発明に係る逆流防止装置の具体的な用途も問わない。
【符号の説明】
【００４７】
Ａ  逆流防止装置
Ｄ  ダイヤフラム弁体
Ｖ１  パイロット式開閉弁
２Ａ，２Ｂ  第１および第２の逆止弁
３  逃がし弁
４  ダイヤフラム
５  ダイヤフラムプレート
６  ブリード用弁体
７  プランジャ
１１  １次側流水路
１２  ２次側流水路
１３  弁開口部
１４  弁座
１５  背圧室
５１  パイロット孔
５２  ブリード孔
５２ａ  背圧室側開口部
５２Ａ，５２Ｂ  第１および第２の孔（ブリード孔）
５３  凸状部
５５  フランジ部
５６  リブ
６１  貫通孔（ブリード用弁体の）
６２，６２Ａ  環状突起部
【図１】
2015007452.tif 000003
【図２】
2015007452.tif 000004
【図３】
2015007452.tif 000005
【図４】
2015007452.tif 000006
【図５】
2015007452.tif 000007
【図６】
2015007452.tif 000008
【図７】
2015007452.tif 000009